(57)【要約】【課題】機器本体の操作を簡単に遠隔操作することができ、前記機器の操作をしないときの内部電源の消耗を抑制することができるリモートコントローラを提供する。【解決手段】導電部材３３０は、操作部材３３が第２位置Ｐ２から第１位置Ｐ１に移動するとき、入力端子３００と２系統の出力端子の一方の出力端子３０４とが先に非導通になり、その後に前記入力端子と他方の出力端子３０３とが非導通となる用に配置されており、制御手段８は前記２系統の出力端子３０３、３０４のうち一方のみが入力端子３００と非導通であることが検出されたとき、他方の出力端子３０３から供給される電力で信号送信手段７に機器本体Ｌの電源を切る操作信号を送信させる。【選択図】図７
2011233966.tif 000002
【特許請求の範囲】
【請求項１】
操作対象である機器本体の入／切を操作する電源操作手段と、
前記機器本体に操作信号を送信する信号送信手段と、
前記信号送信手段に操作信号を送信させる制御手段とを備えたリモートコントローラにおいて、
前記電源操作手段は、
使用者の操作によって第１位置及び第２位置のいずれかに位置する操作部材と、
電源から電力が供給される入力端子と、
前記入力端子と非導通状態となるように前記外嵌部に形成された２系統の出力端子と、
前記操作部が前記第１位置にあるとき前記入力端子と前記２系統の出力端子の両方とを非導通状態にし、前記第２位置にあるとき前記入力端子と前記２系統の出力端子の両方を導通状態にする導電部材とを備えており、
前記導電部材は、前記操作部材が前記第２位置から前記第１位置に移動するとき、前記入力端子と前記２系統の出力端子の一方の出力端子とが先に非導通になり、その後に前記入力端子と他方の出力端子とが非導通となるように配置されており、
前記制御手段は前記一方の出力端子だけが前記入力端子と非導通であることを検出したとき、前記他方の出力端子から供給される電力で前記信号送信手段に前記操作対象である機器本体の電源の入／切を操作する信号を送信させることを特徴とするリモートコントローラ。
【請求項２】
前記２系統の出力端子のうち一方の出力端子には導通状態を検知する導通検知手段が備えられており、
前記制御手段は前記導通検知手段からの信号を受信したときに前記一方の出力端子と前記入力端子とが導通であると認識する請求項１に記載のリモートコントローラ。
【請求項３】
前記電源操作手段は前記操作部材を摺動可能に支持する外嵌部材を備え、
前記入力端子及び前記２系統の出力端子は前記外嵌部材に取り付けられている請求項１又は請求項２に記載のリモートコントローラ。
【請求項４】
前記操作部材は前記外嵌部材の軸方向に移動可能となるように前記外嵌部材の内部に支持されており、
前記操作部材は回転カム機構を用いて、第１位置及び第２位置に交互に移動する請求項３に記載のリモートコントローラ。
【請求項５】
前記入力端子は２系統に分かれて形成されており、
前記２系統の入力端子は前記２系統の出力端子のそれぞれと、一対一で対応している請求項１から請求項４のいずれかに記載のリモートコントローラ。
【請求項６】
前記導電部材は前記２系統の入力端子と前記２系統の出力端子の対応している端子同士を個別に導通状態にできるように２つの独立した部分を有している請求項１から請求項５のいずれかに記載のリモートコントローラ。
【請求項７】
前記制御手段に電力を共有する入力端子及び出力端子を導通状態にする導電部材が、もう一方の導電部材に比べて前記操作部材の移動方向に長く形成されている請求項６に記載のリモートコントローラ。
【発明の詳細な説明】
【技術分野】
【０００１】
本発明は、映像機器や音響機器の操作を行い、待機時の内部電源の消耗を抑制することができるリモートコントローラに関する。
【背景技術】
【０００２】
近年、テレビジョン受像機、ＤＶＤプレーヤ、ＢＤプレーヤ等の映像機器やオーディオセット、サラウンドスピーカシステム等の音響機器において、離れた場所から操作を行うためのリモートコントローラが内蔵されている。
【０００３】
前記リモートコントローラは、動作に関連付けられたスイッチを複数個備えており、前記スイッチが操作されることで、各スイッチに関連付けられた動作を行う指示を送る。例えば、ＤＶＤプレーヤを操作するリモートコントローラの場合、再生スイッチを備えており、再生スイッチが押下されるとＤＶＤの再生が開始される。前記再生スイッチ以外にも、停止、早送り、巻き戻し等の操作を行うためのスイッチが備えられている。
【０００４】
このように、前記リモートコントローラにおいて、前記スイッチは内部に配置された基板に取り付けられている。操作者によって、前記基板に取り付けられた前記スイッチが直接或いは押下部材を介して間接的に操作されることで、無線信号を送信し、前記映像機器或いは前記音響機器（以下の説明では各種機器と示す場合がある）の操作を行っている。
【０００５】
前記リモートコントローラにおいて、前記スイッチが押された（操作された）ことを検出するため、前記基板には常に電気が供給されている。また、前記リモートコントローラで前記各種機器の電源のＯＮ／ＯＦＦも行うことが可能であり、前記リモートコントローラは、前記各種機器の電源がＯＦＦの間（待機時）も、前記基板に電気が供給されている。つまり、前記各種機器を稼動させない場合であっても、前記リモートコントローラでは電力が消費されている。通常のリモートコントローラでは、電源として電池が用いられている。
【０００６】
特に、近年、手元での入力を補助したり、前記各種機器の状態を確認したりするために、前記リモートコントローラに液晶モニタ等を用いた表示部が取り付けられているものも増えており、それだけ、電池の消耗が激しくなっている。
【０００７】
このような待機時の電池の消耗を抑制することができるリモートコントローラが種々、提案されている。例えば、特開平６−２７６５８６号公報に記載のリモートコントローラでは、機器本体の動作状態を示す信号を受信検知する受信検知手段を備えており、所定の時間内に前記受信検知手段の検知結果が得られない場合には、リモートコントローラの表示部を含む主要回路への内部電源からの電力供給を遮断している。この構成の場合、前記機器本体の電源がオフになると、動作状態を示す信号が発せられず、前記リモートコントローラはその信号を受信できないので、主要回路への電力供給を停止し、内部電源（電池）の消耗を抑制している。
【０００８】
また、特開２００６−５７２８号公報に記載のリモートコントローラは、複数のキーから形成された操作手段と、操作手段の操作に応じて送信手段からリモコン信号を送信する制御手段を備え、キーが所定時間継続して操作されたとき、前記送信手段からのリモコン信号の送信を停止することを特徴としている。この構成によって、例えば、リモートコントローラが家具等の下に挟まってキーが押圧された状態が続いた場合、前記制御手段は所定時間経過後、操作によるキーの押圧ではなく、異常な状態で押圧されていると判断して、リモコン信号の送信を停止する。これにより、リモコン信号の送信に必要な電力が消費されるのを抑制することができ、それだけ、内部電源（電池）の消耗を抑制することが可能である。
【先行技術文献】
【特許文献】
【０００９】
【特許文献１】特開平６−２７６５８６号公報
【特許文献２】特開２００６−５７２８号公報
【発明の概要】
【発明が解決しようとする課題】
【００１０】
特開平６−２７６５８６号公報に記載のリモートコントローラの場合、機器本体の電源がＯＦＦのとき、リモートコントローラの表示部への電力の供給を停止している。しかしながら、この構成の場合、前記リモートコントローラに備えられている機器本体の電源をＯＮ／ＯＦＦするためのスイッチを備えた回路には電力が供給されており、内部電源の消耗を防止することは難しい。
【００１１】
また、特開２００６−５７２８号公報に記載のリモートコントローラの場合、誤ってキーの押圧状態が続けられている場合において、前記リモートコントローラからのリモコン信号を停止するものであって、キーが押圧されていない場合であっても、特開平６−２７６５８６号公報に記載のリモートコントローラ同様に内部電源の消耗を防止するのは困難である。
【００１２】
そこで本発明は、機器本体の操作を簡単に遠隔操作することができ、前記機器の操作をしないときの内部電源の消耗を抑制することができるリモートコントローラを提供することを目的とする。
【課題を解決するための手段】
【００１３】
上記目的を達成するために本発明は、操作対象である機器本体の入／切を操作する電源操作手段と、前記機器本体に操作信号を送信する信号送信手段と、前記信号送信手段に操作信号を送信させる制御手段とを備えたリモートコントローラにおいて、前記電源操作手段は、使用者の操作によって第１位置及び第２位置のいずれかに位置する操作部材と、電源から電力が供給される入力端子と、前記入力端子と非導通状態となるように前記外嵌部に形成された２系統の出力端子と、前記操作部が前記第１位置にあるとき前記入力端子と前記２系統の出力端子の両方とを非導通状態にし、前記第２位置にあるとき前記入力端子と前記２系統の出力端子の両方を導通状態にする導電部材とを備えており、前記導電部材は、前記操作部材が前記第２位置から前記第１位置に移動するとき、前記入力端子と前記２系統の出力端子の一方の出力端子とが先に非導通になり、その後、前記入力端子と他方の出力端子とが非導通となるように配置されており、前記制御手段は前記一方の出力端子だけが前記入力端子と非導通であることを検出したとき、前記他方の出力端子から供給される電力で前記信号送信手段に前記機器本体の電源を切る操作信号を送信させることを特徴とする。
【００１４】
この構成によると、前記操作部材が操作されるとき、前記入力端子と前記一方の出力端子とが非導通のときでも、前記制御手段には前記他方の出力端子から電力が供給される。そして、前記制御手段は前記一方の出力端子が前記入力端子と非導通であることを検知すると、前記信号送信手段を駆動させて、操作対象の機器に電源を切る操作信号を送信させる。その後、前記操作部材がさらに操作されると、前記他方の出力端子と前記入力端子も非導通状態になり、電力供給が遮断される。
【００１５】
このことより、前記リモートコントローラでは、操作対象の機器の電源がＯＦＦのとき、前記電源からの電力供給が遮断されており、操作待機状態における前記電源の消耗を抑制することができる。
【００１６】
上記構成において、前記一方の出力端子には導通状態を検知する導通検知手段が備えられており、前記制御手段は前記導通検知手段からの信号を受信したときに前記一方の出力端子と前記入力端子とが導通であると認識してもよい。
【００１７】
上記構成において、前記電源操作手段は前記操作部材を摺動可能に支持する外嵌部材を備え、前記入力端子及び前記２系統の出力端子は前記外嵌部材に取り付けられている物を挙げることができる。
【００１８】
上記構成において、前記操作部材は前記外嵌部材の軸方向に移動可能となるように前記外嵌部材の内部に支持されており、前記操作部材は回転カム機構を用いて、第１位置及び第２位置に交互に移動するものを挙げることができる。
【００１９】
上記構成において、前記入力端子は２系統に分かれて形成されており、前記２系統の入力端子は前記２系統の出力端子のそれぞれと、一対一で対応しているものであってもよい。
【００２０】
上記構成において、前記導電部材は前記２系統の入力端子と前記２系統の出力端子の対応している端子同士を個別に導通状態にできるように２つの独立した部分を有していてもよい。この構成によると、対応する入力端子及び出力端子ごとに前記導電部材を備えているので、前記操作部材の移動量を小さくすることが可能であり、電源操作手段を小型化することが可能である。
【００２１】
上記構成において、前記制御手段に電力を共有する入力端子及び出力端子を導通状態にする導電部材が、もう一方の導電部材に比べて前記操作部材の移動方向に長く形成されていてもよい。
【００２２】
本発明によると、機器本体の操作を簡単に遠隔操作することができ、前記機器の操作をしないときの内部電源の消耗を抑制することができるリモートコントローラを提供することができる。
【図面の簡単な説明】
【００２３】
【図１】本発明にかかるリモートコントローラと操作対象を示す図である。
【図２】図１に示すリモートコントローラの内部接続状態を示すブロック図である。
【図３】本発明にかかるリモートコントローラに用いられている電源スイッチの一例の断面図である。
【図４】図４（Ａ）は回転カム部材が第１ポジションにあるときを示しており、図４（Ｂ）は回転カム部材が第１ポジションから第２ポジションに移動する途中の状態を示しており、図４（Ｃ）は回転カム部材が第２ポジションにあるときを示しており、図４（Ｄ）は回転カム部材が第２ポジションから第１ポジションに移動する途中を示している。
【図５】本発明にかかるリモートコントローラで操作対象の機器である液晶テレビジョン装置の電源をＯＦＦからＯＮにする動作を示すフローチャートである。
【図６】本発明にかかるリモートコントローラで操作対象の機器である液晶テレビジョン装置の電源をＯＮからＯＦＦにする動作を示すフローチャートである。
【図７】図７（Ａ）は回転カム部材が第１ポジションにあるときを示しており、図７（Ｂ）は回転カム部材が第１ポジションから第２ポジションに移動する途中の状態を示しており、図７（Ｃ）は回転カム部材が第２ポジションにあるときを示しており、図７（Ｄ）は回転カム部材が第２ポジションから第１ポジションに移動する途中を示している。
【図８】本発明にかかるリモートコントローラに用いられる電源スイッチの概略図である。
【発明を実施するための形態】
【００２４】
以下に本発明の実施形態を図面を参照して説明する。図１は本発明にかかるリモートコントローラと操作対象を示す図であり、図２は図１に示すリモートコントローラの内部接続状態を示すブロック図である。なお、図１に示す図では、リモートコントローラの操作対象の装置として、液晶テレビジョン装置を挙げているが、それに限定されない。
【００２５】
図１に示すように、液晶テレビジョン装置Ｌはリモートコントローラ１から送信されるリモコン信号を受信するリモコン信号受信部Ｌｒを備えている。液晶テレビジョン装置Ｌでは、リモコン信号受信部Ｌｒにおける受信信号に応じて、電源の入り切り、チャンネル切り替え、音量変更等が行われる。
【００２６】
図２に示すように、リモートコントローラ１は、バッテリ２（電源）と、電源スイッチ３（電源操作手段）と、電力供給回路４と、導通検知回路５と、操作入力部６と、リモコン信号送信部７（信号送信手段）と、制御回路８（制御手段）とを備えている。
【００２７】
バッテリ２は、乾電池等の取替え可能な電池が用いられている。なお、繰返し充電可能な充電池を内蔵する構造としてもよい。図２に示すように、バッテリ２は電源スイッチ３に接続されている。バッテリ２からは、電源スイッチ３の異なる端子にそれぞれ電力が供給されている。
【００２８】
電源スイッチ３は、メカニカルスイッチであり、押しボタンスイッチである。図２に示すように、電源スイッチ３は第１入力端子３０１、第２入力端子３０２、第１出力端子３０３及び第２出力端子３０４を備えている。電源スイッチ３は使用者によって操作されることで、第１入力端子３０１と第１出力端子３０３、第２入力端子３０２と第２出力端子３０４とが導通／非導通状態になる構造を有している。なお、電源スイッチ３の構造及びその動作についての詳細は後述する。
【００２９】
電源スイッチ３の第１出力端子３０３は、電力供給回路４と接続している。電源スイッチ３の第１入力端子３０１と第１出力端子３０３が動通状態のとき電力供給回路４にバッテリ２から電力が供給される。電力供給回路４は操作入力部６、リモコン信号送信部７及び制御回路８に対し、それらの動作に必要な電力を供給するための回路である。電力供給回路４は従来よく知られた、いわゆる電源回路が用いられている。なお、電力供給回路４が制御回路８と一体的な回路として構成されていてもよい。
【００３０】
また、電源スイッチ３の第２出力端子３０４は、導通検知回路５と接続されている。なお、図２に示す導通検知回路５は、内部に電流が流れると信号を出力する従来よく知られた回路であり詳細は省略する。導通検知回路５は接地されており、導通検知回路５が導通であることを検知しているとき、電源スイッチ３の第２入力端子３０２と第２出力端子３０４が導通状態となっている。導通検知回路５は制御回路８と接続されており、導通状態である旨の信号（導通信号という）を制御回路８に対して出力する。
【００３１】
なお、図２において導通検知回路５は電源スイッチ３及び制御部８とは独立して設けられている構成となっているが、それに限定されるものではなく、電源スイッチ３に併設して設けられていても良いし、制御回路８に電子部品或いはソフトとして組み込まれるものであってもよい。
【００３２】
操作入力部６は、電力供給回路４より電力の供給を受けている。図１に示すように、操作入力部６はリモートコントローラ１の前面側に配置され、押圧操作される入力キー６１を複数個備えている。複数の入力キー６１は液晶テレビジョン装置Ｌの異なる操作が割り当てられている。例えば、入力キー６１は、チャンネル変更、ＥＰＧ表示、音量変更等の操作が割り当てられている。これ以外にも、液晶テレビジョン装置Ｌで行われる操作の全部或いは略全部の操作を入力キー６１に割り当てておいてもよい。操作入力部６は制御回路８に接続されており、入力キー６１の押圧により、各キーに割り当てられている操作の操作信号を制御回路８に入力する。
【００３３】
リモコン信号送信部７は、赤外線信号を出力する赤外ＬＥＤ７１と、赤外ＬＥＤ７１の動作を制御するＬＥＤドライバ７２とを備えている。なお、赤外ＬＥＤ７１にはＬＥＤドライバ７２より電力が供給されるものであり、ＬＥＤドライバ７２に電力供給回路４より電力が供給されている。ＬＥＤドライバ７２は制御回路８からの指示に従って赤外ＬＥＤ７１を駆動させ、液晶テレビジョン装置Ｌの操作に対応した赤外線信号を出射させる。なお、図２の構成ではＬＥＤドライバ７２が制御回路８と独立した構成となっているが、制御回路８に電子部品或いはソフトとして組み込まれる攻勢のものであってもよい。
【００３４】
制御回路８は、リモートコントローラ１の制御を行うための回路である。制御回路８はＣＰＵやＭＰＵ等の演算処理装置を含む構成である。なお、制御回路８として、ワンチップのＬＳＩで構成されているものであってもよい。また、ＲＯＭ、ＲＡＭ等の記憶装置に制御プログラムを記憶しておき、その制御プログラムを駆動することで処理を行う処理装置を備えていてもよい。なお、制御回路８の動作の詳細については、後述する。
【００３５】
次に、本発明の要部である電源スイッチの詳細について図面を参照して説明する。図３は本発明にかかるリモートコントローラに用いられている電源スイッチの一例の断面図である。なお、図３に示す電源スイッチは説明の便宜上、実際のリモートコントローラに用いられるものとは異なるお寸法比で図示されている。また、図３は押圧部材が押され、凸条とカム歯が係合した状態を主に示している。
【００３６】
電源スイッチ３は、従来ノック式ボールペン等によく用いられている回転カム機構を応用したメカニカルスイッチである。図３に示すように電源スイッチ３は、一方の端部に底部３１０が形成され他方の端部に開口が形成された円筒形状の外筒３１と、外筒３１の開口側の端部に配置されたカム筒３２と、カム筒３２の内部を摺動する回転カム部材３３と、回転カム部材３３と軸方向に係合され、外筒３１の端部の開口より突出する押圧部材３４と、外筒３１の底部３１０と接触配置され回転カム部材３３を軸方向に押すコイルばね３５とを備えている。なお、以下の説明では、外筒３１の底部３１０側を奥側、開口側を手前側とする。また、押圧部材３４の開口より突出した部分はリモートコントローラ１の外部に突出しており、使用者によって押下操作される。
【００３７】
カム筒３２は内周面の軸方向奥側に鋸歯状のカム歯３２１と、軸方向と沿う方向に延び円周上等間隔となるように３個のカム溝３２２とを備えている。カム歯３２１は２個の山型の歯を連結した構成となっている。回転カム部材３３は外周部にカム筒３２のカム溝３２２と係合し、軸方向に沿う凸条３３１を備えている。また、回転カム部材３３の奥側には外筒３１の内面と接触摺動する円柱部３３２が備えられている。回転カム部材３３はコイルばね３５によって常に奥側から手前側に押圧された状態となっている。
【００３８】
押圧部材３４の奥側の端面には凸条３３１の正面側と係合し、回転カム部材３３を回転させるためのカムが形成されている。また、押圧部材３４の外周面には、カム溝３２２と係合する係合凸部が形成されている。係合凸部がカム溝３２２に係合されていることで、押圧部材３４は軸方向にのみ摺動可能、すなわち、軸周りの回転が規制されている。
【００３９】
まず、回転カム部材３３の凸条３３１がカム溝３２２と係合している場合について説明する。回転カム部材３３はコイルばね３５によって押され、凸条３３１がカム溝３２２の最も手前側の部分に到達して停止している。回転カム部材３３は最も手前側の位置（この位置を第１ポジションＰ１とする）に到達する。なお、図３では、回転カム部材３３の円柱部３３２のみを移動させて記載している。
【００４０】
回転カム部材３３は凸条３３１とカム溝３２２とが係合しているときは、外筒３１の軸方向にのみ移動可能、すなわち、軸回りの回転は規制されている。押圧部材３４が使用者によって押されると、押圧部材３４が回転カム部材３３を押し、回転カム部材３３が軸方向奥側に移動する。このとき、凸条３３１がカム溝３２２に係合されているので、回転カム部材３３は回転せず軸方向にのみ摺動する。
【００４１】
凸条３３１とカム溝３２２との係合が外れるまで回転カム部材３３が奥側に移動すると、回転カム部材３３は軸回り方向に回転可能となり、押圧部材３４のカムによって軸方向に回転され、凸条３３１がカムと係合する位置で回転がとまる。このとき、凸条３３１とカム歯３２１とが軸方向に重なっている。この状態で、押圧部材３４の操作をやめ、押圧部材３４から回転カム部材３３に作用させている力を取り除くと、回転カム部材３３はコイルばね３５に手前側に押し戻される。このとき、凸条３３１はカム歯３２１と係合し、回転カム部材３３は第１ポジションＰ１よりも奥側で停止する（この位置を第２ポジションＰ２とする：図３で示す位置）。
【００４２】
再度、押圧部材３４を押すことで、回転カム部材３３は再度回転し、次は凸条３３１がカム歯３２１を滑って、カム溝３２２に係合される。これにより、回転カム部材３３は第１ポジションＰ１に移動する。押圧部材３４を押すことで、回転カム部材３３は第１ポジションＰ１と第２ポジションＰ２との間を往復動する。なお、回転カム部材３３は第１ポジションＰ１から再度第１ポジションＰ１に戻る或いは第２ポジションＰ２から再度第２ポジションＰ２に戻るまでに、軸回りに１２０度回転している。
【００４３】
以上が回転カム機構の構成及び動作の概要であり、本発明の電源スイッチ３は、この、回転カム部材３３が押圧部材３４の押圧によって軸方向に異なる位置（第１ポジションＰ１、第２ポジションＰ２）の間を往復する動作を利用したものである。
【００４４】
図３に示すように、外筒３１には、軸方向にはなれて配置された、第１入力端子３０１、第２入力端子３０２が備えられている。また、外筒３１の外周には、第１入力端子３０１と同じ軸断面上に配置され、周方向に離れた第１出力端子３０３と、第２入力端子３０２と同じ軸断面上に配置され、周方向に離れた第２出力端子３０４とを備えている。第１入力端子３０１、第２入力端子３０２、第１出力端子３０３及び第２出力端子３０４は外筒３１を貫通し外面と内面の両側に露出している。
【００４５】
なお、第１入力端子３０１及び第１出力端子３０３は第２入力端子３０２及び第２出力端子３０４に対して手前側に配置されている。円柱部３３２の外周面には、手前側に外周面を一周するように形成された帯状の第１導体部３３３と、奥側に外周を一周するように形成された帯状の第２導体部３３４が備えられている。第１導体部３３３の軸方向の幅は第２導体部３３４よりも広い。
【００４６】
電源スイッチの動作について、図面を参照して説明する。図４は図３に示す電源スイッチの動作を示す図である。なお、図４では、外筒３１と回転カム部材３３とを主に記してあるが、主要な構成は図３に示すとおりである。図４（Ａ）は回転カム部材が第１ポジションにあるときを示しており、図４（Ｂ）は回転カム部材が第１ポジションから第２ポジションに移動する途中の状態を示しており、図４（Ｃ）は回転カム部材が第２ポジションにあるときを示しており、図４（Ｄ）は回転カム部材が第２ポジションから第１ポジションに移動する途中を示している。
【００４７】
まず、回転カム部材３３が第１ポジションＰ１にあるときを説明する。図４（Ａ）に示すように、回転カム部材３３が第１ポジションＰ１にあるとき、第１導体部３３３は第１入力端子３０１及び第１出力端子３０３よりも手前側に位置している。また、第２導体部３３４は第２入力端子３０２及び第２出力端子３０４よりも手前側に位置している。すなわち、回転カム部材３３が第１ポジションＰ１にあるとき、第１入力端子３０１と第１出力端子３０３、第２入力端子３０２と第２出力端子３０４はそれぞれ非導通状態となっている。
【００４８】
図４（Ｂ）に示すように、回転カム部材３３が第２ポジションＰ２に移動するとき、第１導体部３３３は第２導体部３３４よりも軸方向の幅が広いので、先に第１導体部３３３が第１入力端子３０１及び第１出力端子３０３と接触する。これにより、第１入力端子３０１と第１出力端子３０３とは導通状態になっている。このとき、第２導体部３３４は第２入力端子３０２及び第２出力端子３０４と接触しておらず、第２入力端子３０２と第２出力端子３０４とは非導通状態のままである。
【００４９】
そして、図４（Ｃ）に示すように、回転カム部材３３が第２ポジションＰ２に到達すると、第１入力端子３０１と第１出力端子３０３との導通状態を維持したまま、第２導体部３３４が第２入力端子３０２及び第２出力端子３０４と接触する。これにより、第１入力端子３０１と第１出力端子３０３、第２入力端子３０２と第２出力端子３０４ともに導通状態になる。
【００５０】
さらに、図４（Ｄ）に示すように、回転カム部材３３が第２ポジションＰ２から第１ポジションＰ１に戻るとき、第１導体部３３３は第２導体部３３４よりも軸方向幅が広いので、回転カム部材３３が移動し、第２導体部３３４が第２入力端子３０２及び第２出力端子３０４と離れても、第１導体部３３３は第１入力部３０１及び第１出力部３０３と接触した状態となっている。すなわち、回転カム部材３３が第２ポジションＰ２から第１ポジションＰ１に移動するとき、第１入力端子３０１と第１出力端子３０３が導通状態で、第２入力端子３０２と第２出力端子３０４が非導通状態のときがある。
【００５１】
このような、電源スイッチを備えたリモートコントローラの動作について図面を参照して説明する。まず、操作対象の機器である液晶テレビジョン装置の電源をＯＦＦからＯＮにするときについて説明する。図５は本発明にかかるリモートコントローラで操作対象の機器である液晶テレビジョン装置の電源をＯＦＦからＯＮにする動作を示すフローチャートである。
【００５２】
液晶テレビジョン装置Ｌの電源がＯＦＦのとき、電源スイッチ３は回転カム部材３３が第１ポジションＰ１にある（図４（Ａ）の位置）。すなわち、第１入力端子３０１と第１出力端子３０３とは非導通状態で、電力供給回路４とバッテリ２とは接続されておらず、リモートコントローラ１の操作入力部６、リモコン信号送信部７及び制御回路８には電力が供給されていない。これにより、リモートコントローラ１の待機時における電力（待機電力）の消費をなくし、それだけバッテリ２の消耗を抑制することができる。
【００５３】
使用者によって押圧部材３４が押されると、回転カム部材３３が奥に移動する。このとき、図４（Ｂ）に示すように、第１入力端子３０１と第１出力端子３０３とが第１導体部３３３と接触して導通状態になる（ステップＳ１１）。図２に示しているように、第１入力端子３０１と第１出力端子３０３が導通状態になる。これにより、バッテリ２と電力供給回路４とが導通状態になり、操作入力部６、リモコン信号送信部７及び制御回路８に電力が供給される（ステップＳ１２）。
【００５４】
ステップＳ１２の時点で制御回路８が起動される。そして、押圧部材３４がさらに押され、回転カム部材３３が第２ポジションＰ２になると（図４（Ｃ）の位置）、今度は第２導通部３３４が第２入力端子３０２と第２出力端子３０４とが接触し、第２入力端子３０２と第２出力端子３０４とが導通状態になる（ステップＳ１３）。
【００５５】
このとき、導通検知回路５とバッテリ２とが導通状態になり、導通検知回路５は導通状態を検知した導通信号を制御回路に送信する。制御回路８は導通信号の入力を確認すると、ＬＥＤドライバ７２に液晶テレビジョン装置Ｌの電源をＯＮにする電源ＯＮ指令を送信する。ＬＥＤドライバ７２は電源ＯＮ指令の入力を確認すると、赤外ＬＥＤ７１を駆動、赤外線信号である電源ＯＮ信号を送信する（ステップＳ１４）。液晶テレビジョン装置Ｌは受信部Ｌｒにおいて、電源ＯＮ信号を受信したことを確認すると電源をＯＮにする。
【００５６】
その後、リモートコントローラ１の操作入力部６、リモコン信号送信部７及び制御回路８には電力供給回路４より電力が供給されている。使用者により操作キー６１（図１参照）が操作（押下）されると、操作入力部６は、押下された操作キー６１に対応した入力信号を制御回路８に入力する。制御回路８は入力信号をもとに、ＬＥＤドライバ７２に操作を送信するための操作指令を送る。ＬＥＤドライバ７２は操作指令に基づき、ＬＥＤ７１を駆動させ赤外線信号である操作信号を液晶テレビジョン装置Ｌに送信する。受信部Ｌｒが操作信号を受信すると液晶テレビジョン装置Ｌの制御装置（不図示）は操作信号と関連付けられた操作を行う。
【００５７】
次に、液晶テレビジョン装置の電源をＯＮからＯＦＦにするときについて説明する。図６は本発明にかかるリモートコントローラで操作対象の機器である液晶テレビジョン装置の電源をＯＮからＯＦＦにする動作を示すフローチャートである。
【００５８】
液晶テレビジョン装置Ｌの電源がＯＮのとき、電源スイッチ３の回転カム部材３３は第２ポジションＰ２（図４（Ｃ）の位置）にある。この状態で押圧部材３４が使用者によって押され、押す力が取り除かれると、回転カム部材３３は回転し、凸条３３１がカム溝３２２と係合し、コイルばね３５に押されて手前側に移動する（図４（Ｄ）の位置）。このとき、第２導体部３３４は第１導体部３３３に比べて軸方向の幅が狭いので、第２入力端子３０２と第２出力端子３０４とが先に非導通になる（ステップＳ２１）。
【００５９】
第２入力端子３０２と第２出力端子３０４とが非導通になると、導通検知回路５から制御回路８に送信されていた導通信号が停止される。このとき、第２入力端子３０２と第２出力端子３０４とは非導通であるが、第１入力端子３０１と第１出力端子３０３とは導通状態であるため電力供給回路４を介して、リモコン信号送信部７及び制御回路８には電力が供給されており、通常の動作が可能である。
【００６０】
制御回路８は導通検知回路５からの導通信号が停止されると、ＬＥＤドライバ７２に電源ＯＦＦ指令を送る。ＬＥＤドライバ７２は電源ＯＦＦ指令を受けるとＬＥＤ７１を駆動し、赤外線信号である電源ＯＦＦ信号を液晶テレビジョン装置に送信する（ステップＳ２２）。受信部Ｌｒが電源ＯＦＦ信号を受信すると、制御装置は液晶テレビジョン装置Ｌの電源をＯＦＦにする。
【００６１】
回転カム部材３３がさらに手前側に移動すると、第１導体部３３３が第１入力端子３０１及び第１出力端子３０３から離れる（ステップＳ２３）。これにより、バッテリ２と電力供給回路４とは非導通状態になり、操作入力部６、リモコン信号送信部７及び制御回路８への電力供給が終了する（ステップＳ２４）。
【００６２】
以上に示したように、電源スイッチ３を備えたリモートコントローラ１を用いることで、操作対象である液晶テレビジョン装置Ｌの電源がＯＦＦのときは、バッテリ２からリモートコントローラ１の内部の回路等への電力供給が停止されるので、液晶テレビジョン装置Ｌの電源がＯＦＦの間は待機電力の消費が抑えられる。これにより、バッテリ２の消耗を抑制することができ、それだけ、省エネルギ化することができ、ランニングコストを削減することが可能である。
【００６３】
なお、上記実施例では、導通検知回路５として、第２入力端子３０２と第２出力端子３０４とが導通状態のときに常に導通信号を制御回路８に送信しているものである。これに限定されるものではなく、例えば、導通状態から非導通状態或いは非導通状態から導通状態に変化するときにその変化を捉えて信号を出力する回路であってもよい。
【００６４】
本発明にかかるリモートコントローラの他の例について図面を参照して説明する。図７は本発明にかかるリモートコントローラに用いられる電源スイッチの他の例を示す図である。図７（Ａ）は回転カム部材が第１ポジションにあるときを示しており、図７（Ｂ）は回転カム部材が第１ポジションから第２ポジションに移動する途中の状態を示しており、図７（Ｃ）は回転カム部材が第２ポジションにあるときを示しており、図７（Ｄ）は回転カム部材が第２ポジションから第１ポジションに移動する途中を示している。
【００６５】
図７に示す電源スイッチ３Ｂは、バッテリ２と１個の入力端子３００で接続されており、第１出力端子３０３、第２出力端子３０４を備えている。また、回転カム部材３３には、１個の導体部３３０が備えられた構成となっている。導体部３３０は電源スイッチ３の第１導体部３３３と第２導体部３３４を接続したような構成となっている。
【００６６】
図７（Ａ）に示すように、電源スイッチ３Ｂにおいて、回転カム部材３３が第１ポジションＰ１にあるときは、入力端子３００及び第１出力端子３０３及び第２出力端子３０４とは非道通状態になっている。回転カム部材３３が奥側に移動すると、まず、導体部３３０が入力端子３００と第１出力端子３０３とに接触し、入力端子３００と第１出力端子３０３とが導通状態になる（図７（Ｂ）参照）。これにより、電力供給回路４とバッテリ２とが導通状態になり、電力供給回路４から、操作入力部６、リモコン信号送信部７及び制御回路８にも電力が供給される。
【００６７】
図７（Ｃ）に示すように、回転カム部材３３がさらに押し込まれ第２ポジションＰ２に到達すると、導体部３３０が第２出力端子３０４と接触する。このとき、入力端子３００と第２出力端子３０４も導通状態になり、導通検知回路５が導通状態を検知し、導通信号を制御回路８に送信することができる。回転カム部材３３が手前側に移動するとき、導体部３３０は、まず、第２出力端子３０４と離れ、ついで入力端子３００及び第１出力端子３０３と離れる（図７（Ｄ）参照）。
【００６８】
この電源スイッチ３Ｂを電源スイッチ３の代わりに取り付桁場合であっても、制御回路８は図５、図６に示すのと同じ制御で、液晶テレビジョン装置Ｌの電源のＯＮ、ＯＦＦを操作することができる。また、入力端子を減らすことができると共に、導体部が１つにすることができるので、製造及び組立の手間及び時間を削減することが可能である。
【００６９】
本発明にかかるリモートコントローラに用いられる電源スイッチのさらに他の例について図面を参照して説明する。図８は本発明にかかるリモートコントローラに用いられる電源スイッチの概略図である。図８に示す電源スイッチ３Ｃは、ケース３１ｃと、ケース３１ｃに往復摺動可能に支持されたスライダ３２ｃとを備えている。
【００７０】
ケース３１ｃには、スライダ３２ｃが摺動する摺動溝３１１ｃが備えられている。摺動溝３１１ｃは長方形状の凹部であり、スライダ３１ｃは摺動溝３１１ｃの一方の端部（図中右側の端部）の第１ポジションＰｓ１と、反対側の端部の第２ポジションＰｓ２との間を摺動する。なお、電源スイッチ３Ｃはスライダ３１ｃが第１ポジションＰｓ１又は第２ポジションＰｓ２のどちらかで停止する構成となっている。
【００７１】
摺動溝３１１ｃには、第１入力端子３０１と第１出力端子３０３、第２入力端子３０２と第２出力端子３０４とが、それぞれ、スライダ３２ｃの摺動軸と交差（ここでは直交）する線上に並んで配置されている。なお、第１入力端子３０１と第１出力端子３０３は、第２入力端子３０２と第２出力端子３０４よりも第１ポジションＰｓ１側に寄せて配置されている。第１入力端子３０１及び第２入力端子３０２には、バッテリ２が接続されており、第１出力端子３０３には電力供給回路４が、第２出力端子３０４には導通検知回路５がそれぞれ接続されている。
【００７２】
スライダ３２ｃの摺動溝３１１ｃと対向する部分には、導電性を有する第１導体部３３３ｃと第２導体部３３４ｃとを備えている。第１導体部３３３ｃ及び第２導体部３３４ｃとは、スライダ３２ｃの摺動方向に幅広に形成されている。なお、第１導体部３３３ｃは第２導体部３３４ｃに比べて幅が広い。
【００７３】
スライダ３２ｃが第１ポジションＰｓ１にあるとき、第１入力端子３０１と第１出力端子３０３、第２入力端子３０２と第２出力端子３０４とは非導通状態である。スライダ３２ｃが第１ポジションＰｓ１から第２ポジションＰｓ２に移動するとき、まず、第１導体部３３３ｃが第１入力端子３０１及び第１出力端子３０３と接触する。これにより、第１入力端子３０１と第１出力端子３０３が導通状態になる。
【００７４】
スライダ３２ｃが第２ポジションＰｓ２に到達すると、第１入力端子３０１と第１出力端子３０３とが導通状態を保ったまま、第２導体部３３４ｃが第２入力端子３０２及び第２出力端子３０４と接触し、第２入力端子３０２及び第２出力端子３０４とが導通状態になる。
【００７５】
スライダ３２ｃが第２ポジションＰｓ２から第１ポジションＰｓ１に移動するとき、第２入力端子３０２と第２出力端子３０４とが非導通になったのち、第１入力端子３０１と第１出力端子３０３とが非導通になる。
【００７６】
以上のように、スライダ３２ｃをスライドさせるスイッチを用いても、図５、図６に示す動作手順で、液晶テレビジョン装置Ｌの電源のＯＮ、ＯＦＦを切り替えることができると共に、液晶テレビジョン装置Ｌの電源がＯＦＦ状態における待機時のバッテリ２の消耗を抑制することが可能である。
【００７７】
本発明は、遠隔地から機器を操作することができるリモートコントローラに利用することが可能である。
【符号の説明】
【００７８】
１  リモートコントローラ
２  バッテリ
３  電源スイッチ
３０１  第１入力端子
３０２  第２入力端子
３０３  第１出力端子
３０４  第２出力端子
３１  外筒
３２  カム筒
３２１  カム歯
３２２  カム溝
３３  回転カム部材
３３１  凸条
３３２  円筒部
３４  押圧部材
３５  ばね
４  電力供給回路
５  導通検知回路
６  操作入力部
７  リモコン信号送信部
８  制御回路
【図１】
2011233966.tif 000003
【図２】
2011233966.tif 000004
【図３】
2011233966.tif 000005
【図４】
2011233966.tif 000006
【図５】
2011233966.tif 000007
【図６】
2011233966.tif 000008
【図７】
2011233966.tif 000009
【図８】
2011233966.tif 000010